(57)【要約】【課題】複数の板体の上に収納体に収納される木材の木粉が接合されて、板体どうしの隙間が維持されて塞がれず通気性及び放熱性が向上する。【解決手段】二枚の布シート（連結体、シート体）１、１は、幅方向に平行に複数の縫合ライン２で接合され、１つおきの板収納部３…に、木粉７…が充填された収納袋６…が接合された板体５…が挿通され、１つおきの板収納部３…の間の連結部４…の幅で、各板体５…の間隔が維持される。収納袋６…の木粉７…の部分の高さは板体５…の幅の１／３乃至略２倍であれば、木粉７…の部分がいくら撓んでも、連結部４の幅つまり各板体５…の間隙が各板体５…の幅のほぼ１／３乃至若干広いので、連結部４の幅つまり各板体５…の間隙が撓んだ木粉７…によって塞がれず、通気性及び放熱性が維持される。【選択図】図１
2009106331.tif 000002
【特許請求の範囲】
【請求項１】
互いに所定の間隔をほぼ維持して連結された複数のほぼ剛性の板体と、
この板体の就寝する身体が当接する側に接合される、可撓性を有する収納体とこの収納体に収納される木材の木粉、またはこの板体とこの木材の木粉とを収納する可撓性を有する収納体であって、当該木粉は当該板体の就寝する身体が当接する側に配置され、
上記各板体にまたがり、当該各板体が着脱自在に固定され、各板体を互いに所定の間隔にほぼ維持して連結する連結体とを備えたことを特徴とする寝具。
【請求項２】
上記各板体の間隔は当該板体の幅のほぼ１／３乃至若干広く、上記木粉の幅は当該板体の幅より少々小さい乃至当該板体の幅より若干大きく、当該木粉の高さは当該板体の幅の１／３乃至略２倍であり、
当該板体または木粉の幅または厚さが大きいほど、各板体の間隔は大きくされることを特徴とする請求項１記載の寝具。
【請求項３】
上記各板体は細長く、この各板体は就寝する身体に対して略直交する方向にほぼ平行に配置されることを特徴とする請求項１または２記載の寝具。
【請求項４】
上記収納体は複数に分離または分割され、上記板体上に一列または複数列に配置されていることを特徴とする請求項１、２または３記載の寝具。
【請求項５】
上記各板体は、寝具の中央付近には、耐水効果のある素材が使用され、同寝具の周縁付近には消臭効果のある素材が使用される、または寝具の全体に耐水効果のある素材が使用されることを特徴とする請求項１、２、３または４記載の寝具。
【請求項６】
上記連結体の幅は上記板体の長さより、板体の幅の１倍乃至５倍ほど長いことを特徴とする請求項１、２、３、４または５記載の寝具。
【請求項７】
上記寝具の四隅には係止帯が取り付けられ、この係止帯が寝台またはマットレスに係止されて、当該寝具が寝台またはマットレスに固定されることを特徴とする請求項１、２、３、４、５または６記載の寝具。
【請求項８】
寝具の周縁に沿って細長い可撓性を有する堤体が着脱自在に取り付けられていることを特徴とする請求項１、２、３、４、５、６または７記載の寝具。
【請求項９】
上記連結体の一部または全部に荷は農薬または／及び化学肥料などの化学物質を使用しないで育成された素材が使用されることを特徴とする請求項１、２、３、４、５、６、７または８記載の寝具。
【発明の詳細な説明】
【技術分野】
【０００１】
本発明は、寝具に関し、快適な寝心地が得られる簡易な寝具に関する。
【背景技術】
【０００２】
従来、板体を用いた寝具としては、就寝する身体に対して略直交する方向に板体が配置されるベッドなどがある。
【０００３】
【特許文献１】特開２０００−１６６９９１号公報
【発明の開示】
【発明が解決しようとする課題】
【０００４】
しかしながら、就寝する身体に対して略直交する方向に板体が配置されるベッドでは、各板体が不安定で、寝ている間に板体が動いてしまうことがあった。これは、板体をベッドに固定すれば解決されるが、直接板体の上に寝ることができず、通常はこの板体の上にマットレスや布団を敷いてこの上に寝ていた。しかし、これでは、各板体に隙間を設けても、この隙間がこのマットレスや布団によって塞がれてしまい、通気性や放熱性が損なわれていた。
【０００５】
本件発明は、上述した課題を解決するためになされたものであり、本発明の目的は、略剛性の板体を使っても、寝心地が快適で、通気性や放熱性が損なわれない寝具を提供することである。
【課題を解決するための手段】
【０００６】
上記目的を達成するために、本件発明は、  互いに所定の間隔をほぼ維持して連結された複数のほぼ剛性の板体と、  この板体の就寝する身体（人間及び動物）が当接する側に接合される、可撓性を有する収納体とこの収納体に収納される木材の木粉、またはこの板体とこの木材の木粉とを収納する可撓性を有する収納体であって、当該木粉は当該板体の就寝する身体が当接する側に配置され、  上記各板体にまたがり、当該各板体が着脱自在に固定され、各板体を互いに所定の間隔にほぼ維持して連結する連結体とを備えた。
【発明の効果】
【０００７】
これにより、ほぼ剛性の板体の就寝する身体が当接する側に、可撓性を有する収納体とこの収納体に収納される木材の木粉とが接合されるので、この寝具のうえに直接寝ても寝心地がよい。したがって、就寝する身体と本件寝具との間にマットレスや布団を敷かなくても済み、各板体の間の隙間が塞がれず、通気性や放熱性が損なわれない。
【発明を実施するための最良の形態】
【０００８】
（１）寝具の構造
図１は寝具の斜視図を示し、図２は板体５の部分の斜視図を示し、図３及び図４は寝具の断面図を示す。布シート（連結体、シート体）１、１は二枚の長方形状の可撓性を有する布で、この２枚の布シート１、１は互いに縫合されている。
【０００９】
この縫合ライン２は、複数で互いに平行で、２枚の布シート１、１の短辺に平行になっていて、一方の長辺から他方の長辺まで達している。この縫合ライン２の間隔は細い間隔と太い間隔とが交互になっている。この太い間隔の２枚の布シート１、１で挟まれた隙間は板収納部３となっている。この細い間隔の２枚の布シート１、１の部分は連結部４となっている。
【００１０】
この布シート１、１の一部または全部はオーガニックコットンの綿素材を材料としている。このオーガニックコットンは、農薬及び化学肥料などの化学薬品・化学物質を使用しないで育成された綿花である。農薬及び化学肥料などの化学薬品・化学物質を使用しないものであれば、麻、絹、羊毛などの植物繊維、動物繊維でもよい。
【００１１】
この布シート１、１の中央付近には、オーガニックコットンの綿素材の別の布シートが一枚または複数枚積層されてもよい。これにより、介護者、障害者、乳児、幼児、子供などの排泄物が寝具の下まで漏れない。
【００１２】
このようなオーガニックコットンには化学物質が付着しておらず、自然界の物質のみからなり、アレルギー反応がなく、アトピー対策にも有効である。オーガニックコットンの布シートは、布シート１の中央付近だけでなく、周縁付近、全体に積層されてもよい。
【００１３】
上記布シート１、１の板収納部３それぞれには、細長いほぼ剛性の板体５…がそれぞれ挿通されている。この板体５…の長さは布シート１、１の幅より充分に短く、板体５…の幅は、板収納部３の幅より少々小さく、板体５…の厚さは板収納部３の幅の１／２乃至１／２０であり、板体５…は弾性的に撓んだり復帰したりする。
【００１４】
この板体５…の素材は、ヒバ（青森ヒバ）、ヒノキ、ヒヨクヒバ、アスナロ、ヒノキアスナロ、アテなどであり、これらの一種または複数種が偏在してまたは交互に混在して上記板収納部３に収納される。
【００１５】
これらの木の品種にはヒノキチオールとシャンメールＢが含有され、抗菌性、防腐性、耐水性、ダニ・シロアリなどの防虫性が強く、アレルギー反応がなくアトピー対策にも有効である。この中で、ヒバ（青森ヒバ）は他より、ヒノキチオールとシャンメールＢがより多く含まれ、抗菌性、防腐性、耐水性、防虫性、非アレルギー性がより高い。ヒノキはヒバ（青森ヒバ）に比べて消臭効果が高い。
【００１６】
このような板体５…は、寝具の中央付近では、ヒバ（青森ヒバ）が用いられ、寝具の端付近では、ヒバとヒノキとが交互に用いられる。したがって、寝具の中央付近には、耐水効果のある板体５…が使用され、同寝具の周縁付近には消臭効果のある板体５…が使用される。これにより、寝具の中央付近の介護者、障害者、乳児、幼児、子供などの排泄物が中央付近の板体５…に浸み込まず、端付近の板体５…によって消臭される。
【００１７】
このような板体５…は、寝具の略全体にわたって、ヒバ（青森ヒバ）が用いられてもよい。このように、各板体板体５…に耐水効果があれば、各板体板体５…に水分が浸み込まず、各板体板体５…の間が湿気を帯びず、通気性が向上する。
【００１８】
この板体５…の上面すなわち就寝する身体が当接する側には、可撓性を有する収納袋（収納体）６が、接着剤、両面接着テープ、面ファスナーまたはホチキスなどで接合されている。この収納袋６は細長く、中に木材の木粉７が収納・充填されている。
【００１９】
この収納袋６は、通気性の高い破れにくい紙・和紙・洋紙または布・目の細かき網からなっている。この収納袋６は、複数に分離分割されているか、または所定間隔ごとに縫合され、この縫合ライン８…間に木粉７が充填・収納される。
【００２０】
この木粉７としては、上記ヒバ（青森ヒバ）、ヒノキ、ヒヨクヒバ、アスナロ、ヒノキアスナロまたは／及びアテの切削屑が用いられる。収納袋６は、通気性が高いので、木粉７の香りが外へ出やすく、木粉７の抗菌性、防腐性、耐水性、防虫性、非アレルギー性の機能がより発揮できる。
【００２１】
このように、この木粉７入りの収納袋６…が、ほぼ剛性の板体５…の就寝する身体が当接する側に、接合されるので、この寝具のうえに直接寝ても寝心地がよい。したがって、就寝する身体と本件寝具との間にマットレスや布団を敷かなくても済み、各板体５…の間の隙間が塞がれず、通気性や放熱性が損なわれない。
【００２２】
収納袋６は複数または複数に分離または分割されて、上記板体５…上に一列に配置されている。したがって、一つの収納袋６内の木粉７…の移動が規制され、上記板体５…上を木粉７…が大きく動いてしまうことがなくなる。これにより、板体５…上の木粉７…が偏在せず、板体５…上に木粉７…が無い箇所がなくなり、快適な寝心地が得られる。なお、収納袋６は上記板体５…上に複数列に配置されていても良い。
【００２３】
この木粉７の粒径は、大鋸屑の粒径に略等しく、０．１ミリメートル乃至１０ミリメートルであり、望ましくは０．５ミリメートル乃至５ミリメートル、より望ましくは１ミリメートル乃至２ミリメートルである。木粉７の粒径が、１０ミリメートル付近まで大きくなると、粒粒感があり、就寝する身体に対してマッサージ効果を付与できる。
【００２４】
上記収納袋６…には、上記木粉７ばかりでなく、上記板体５…も収納されてもよい。この場合、収納袋６…の所定間隔ごとに板体５へ接着されるラインが形成されるか、収納袋６…の所定間隔ごとに板体５へ巾着される巾着バンドが外側から巻回されて固定される。この場合でも、板体５…の就寝する身体が当接する側に木粉７は配置される。この巾着バンドの代わりに、接着剤、両面接着テープ、面ファスナーまたはホチキスなどが用いられてもよい。
【００２５】
上記布シート１、１は、上記各板体５…にまたがり、一定の寸法で交互に並んだ板収納部３…と連結部４…のうち、板収納部３…に上記各板体５…が収納される。これにより、板体５…が連結部４の間隔ごとに維持して連結されることになる。したがって、板体５…どうしの隙間が維持され、板体５…どうしの隙間が塞がれず、通気性や放熱性が損なわれない。
【００２６】
上記各板体５…は、全て同じ寸法で、幅３０ミリメートル乃至１００ミリメートル、例えば５０ミリメートルで、厚さ１ミリメートル乃至１０ミリメートル、例えば３．５ミリメートル乃至４．０ミリメートル、５００ミリメートル乃至２０００ミリメートル、例えば８００ミリメートルである。幅は厚さの３倍乃至１００倍、例えば１０倍乃至２０倍であり、長さは幅の５倍乃至７０倍、例えば１６倍であり、長さは厚さの５０倍乃至２０００倍、例えば２００倍乃至２３０倍である。
【００２７】
各連結部４…の幅すなわち各板体５…の間隔は全て一定であり、例えば２０ミリメートル乃至８０ミリメートル、例えば３０ミリメートルであり、板収納部３の幅は全て一定であり、例えば５０ミリメートル乃至１５０ミリメートル、例えば８０ミリメートルである。
【００２８】
上記収納袋６…の木粉７…の部分の幅は上記板体５…の幅より少々小さい乃至上記板体５…の幅より若干大きく、この収納袋６…の木粉７…の部分の高さはこの板体５…の幅の１／３、１／２、２／３、３／４、略等しい、５／４、４／３、３／２、５／３、７／４、２／１（２倍）であり、当該板体５…の幅より小さいまたは当該板体５…の幅より若干大きい。
【００２９】
また、上記連結部４の幅つまり各板体５…の間隔は、各板体５…の幅のほぼ１／４、１／３若しくは１／２乃至若干広く、または当該板体５…の幅より細い、略等しい若しくは若干細い。これにより、板体５…の上の木粉７が就寝する身体の重みで大きく変形しても、図５に示すように、各板体５…の間の隙間を塞ぐことがなく、通気性や放熱性が損なわれない。
【００３０】
なぜなら、収納袋６…の木粉７…の部分の高さが板体５…の幅の１／３乃至略２倍であれば、木粉７…の部分がいくら撓んでも、連結部４の幅つまり各板体５…の間隙が各板体５…の幅のほぼ１／３乃至若干広いので、連結部４の幅つまり各板体５…の間隙が撓んだ木粉７…によって塞がれないからである。また、たとえ塞がれても、木粉７…の入った通気性の高い収納袋６…で塞がれるため、通気性や放熱性が損なわれない。
【００３１】
さらに、上記板体５…または木粉７…の幅または厚さが大きいほど、各板体５…の間隔は大きくされるように連動される。これにより、連結部４の幅つまり各板体５…の間隙が撓んだ木粉７…によって塞がれず、通気性や放熱性が損なわれない。
【００３２】
上記木粉７…の入った収納袋６…が接合された板体５…は、布シート１、１の板収納部３に少しの遊びをもって収納され、板収納部３の両端は塞がれていない。しがたって、この板体５…は、板収納部３の両端のいずれかから取り出したり、挿入したりできて、この板体５…は、布シート１、１に着脱自在に固定される。
【００３３】
これにより、木粉７…の入った収納袋６…が接合された板体５…を、布シート１、１から取り外して、布シート１、１を洗濯できる。これにより、布シート１、１を清潔に維持できる。
【００３４】
また板体５…が古くなったら、板体５…の表面を磨いたり鉋（カンナ）で削ったりして、抗菌性、防腐性、耐水性、防虫性、非アレルギー性を再生復活させることができる。さらに、収納袋６…内の木粉７…も、上記板体５…の削った屑に入れ換えて、同じく抗菌性、防腐性、耐水性、防虫性、非アレルギー性を再生復活させることができる。
【００３５】
上記布シート１、１の幅は板体５…の長さより、板体５…の幅の１倍乃至５倍、望ましく１倍乃至３倍、より望ましくは２倍ほど長い。これにより、板収納部３…の端の開口部より奥に板体５…の端が入り込み、板体５…が板収納部３…つまり布シート１から飛び出してしまうことがなくなるし、飛び出した板体５…の角が就寝している身体に当たってしまうことがなくなる。
【００３６】
このような布シート１の板体５…の外側の遊び部分８は折り返されて、本件寝具の下のマットレス・布団などに巻き込んで、本件寝具をマットレス・布団などにしっかりと固定できる。この布シート１、１の外周縁は折り返されて自身に縫合され、ほつれないようになっている。
【００３７】
このような遊び部分８を持ち上げて本件寝具を振ると、板収納部３…から木粉７…の入った収納袋６…が接合された板体５…が容易にすべり落ちてくる。これにより、布シート１、１から木粉７…の入った収納袋６…が接合された板体５…を簡単に取り出して、布シート１、１を洗濯することができるし、木粉７…、収納袋６…、板体５…を再生することができる。
【００３８】
このような布シート１、１の両端を張って、各板収納部３…に、木粉７…の入った収納袋６…が接合された板体５…を順次差し込むことが容易にできる。これにより、木粉７…の入った収納袋６…が接合された板体５…を、布シート１、１に簡単に装着できる。
【００３９】
このような布シート１、１が板体５…より長い部分である遊び部分８を全板体５…にわたって張って折り曲げれば、板体５…の端を整列させることができ、板体５…の端が整列されると板体５…の端の間の隙間も均一となり、板体５…の端の通気性及び放熱性が向上する。
【００４０】
上記各板体５…は細長く、この各板体５…は寝具の幅方向に沿ってほぼ平行に配置され、この各板体５…は就寝する身体に対して略直交する方向に配置される。したがって、各板体５…の間の隙間が、就寝する身体の幅方向を横切る長さが、就寝する身体の縦方向を横切る長さに比べて短くなるので、各板体５…の間の隙間が身体で塞がれる長さが短くなり、湿気や熱がこもり難くなり、通気性及び放熱性が向上する。
【００４１】
上記布シート１、１の四隅には、ゴムバンド（係止帯）９が取り付けられており、このゴムバンド９の一端は布シート１、１の四隅の短辺に縫合され、ゴムバンド９の他端は布シート１、１の四隅の長辺に縫合されている。
【００４２】
このゴムバンド９を引っ張って寝台（ベッド）またはマットレスＭに係止させると、当該寝具が寝台（ベッド）またはマットレスＭに固定される。これにより、本件寝具を寝台（ベッド）またはマットレスＭに定着でき、板体５…の間隔が一定に保たれ、板体５…間の通気性及び放熱性が安定する。
【００４３】
上記布シート１の上面の周縁に沿って、細長い複数の堤ガイド１０…が面ファスナーなどで着脱自在に取り付けられている。この堤ガイド１０…は筒状の布製の袋の中に上記木粉７…が収納・充填されている。このような堤ガイド１０…によって本件寝具の上で寝ている上記介護者などの手足が外へ出てしまうのが防止される。また、本件寝具と掛け布団との間に隙間ができ、通気性及び放熱性が向上する。
【００４４】
（２）他の実施の形態
本発明は、上記実施例に限定されず、種々変更可能である。例えば、収納袋６…は複数または複数に分離または分割されず、上記板体５…上に一体のみ配置されていてもよい。これにより、収納袋６…の構造が簡単になり、木粉７…の充填が容易になる。
【００４５】
また、収納袋６…に入った木粉７…は板体５…の上側ではなく、下側にも配置されても良い。これにより、板体５…が寝具の下のマットレス・布団に食い込んで破損してしまうことがない。
【００４６】
上記収納袋６…に入った木粉７…の幅は当該板体５…の幅に略等しいのであるが、当該板体５…の幅より細くても良いし、太くてもよい。要は板体５…の角が就寝する身体に直接当たらず、板体５…の間隔が収納袋６…に入った木粉７…で塞がらなければよい。
【００４７】
各板体５…の各間隔は一定ではなく、不均一でもよい。例えば、頭または背中から腰までは、各板体５…の各間隔は広く、脚または腕付近では、各板体５…の各間隔は狭くてもよいし、これらの逆でもよい。各板体５…の厚さ、幅または長さは一定ではなく、不均一でもよい。例えば、頭または背中から腰までは、各板体５…の厚さ、幅または長さは大きく、脚または腕付近では、各板体５…の厚さ、幅または長さは小さくてよいし、これらの逆でもよい。
【００４８】
上記各板体５…は、全て同じ寸法ではなく、異なる寸法でもよい。例えば、就寝している身体の腰の付近では、板体５…の厚さはより厚くかつ幅はより細く、就寝している身体の尻または背中の付近では、板体５…の厚さはより薄くかつ幅はより太くてもよい。
【００４９】
上記各板体５…の幅すなわち板収納部３…の幅と各板体５…との間隔すなわち連結部４…の幅は全て一定ではなく、異なっていてもよい。例えば、就寝している身体の腰の付近では、両幅は狭く、就寝している身体の尻または背中の付近では、両幅は広くてもよい。この場合、各板体５…の幅すなわち板収納部３…の幅と各板体５…との間隔すなわち連結部４…の幅との比率は略一定となる。
【００５０】
このような各板体５…の幅すなわち板収納部３…の幅と各板体５…との間隔すなわち連結部４…の幅との比率は異なっていてもよい。例えば、就寝している身体の腰の付近では、板体５…の割合は大きく板体５…の隙間は小さくてもよく、就寝している身体の尻または背中の付近では、板体５…の割合は小さく板体５…の隙間は大きくてもよい。
【００５１】
布シート（連結体、シート体）１は上側一枚だけとし、この一枚の布シート１に下面から、布シート１に縫合固定されたゴムバンド、紐、ベルトなどで着脱自在に固定されてもよい。また、一枚の布シート（連結体、シート体）１に幅方向に沿って一列に複数の穴があけられ、この一列の複数の穴を、上から下へ、下から上へ、収納袋６…に入った木粉７…が接合された板体５…が、交互に挿通してもよい。このような穴は、更に複数列設けられ、収納袋６…に入った木粉７…が接合された複数の板体５…が、交互に挿通される。
【００５２】
布シート（連結体、シート体）１、１は、シート状のほかバンド状、帯、網状、紐条でも良い。この場合、例えば各板体５…に対して複数のバンド、帯、紐、網が、例えば平織りのスタイルで絡むことになる。
【００５３】
布シート（連結体、シート体）１は、各板体５…をそれぞれ連結するバンド、紐、硬質樹脂製などのジョイントなどでもよい。この場合、各板体５…に複数の穴があけられ、隣り合う板体５…の各穴がバンド、紐、硬質樹脂製などのジョイントなどで連結される。布シート（連結体、シート体）１、１は、布製のほか、樹脂製、綿製、ゴム製、紙製、金属製などでもよい。
【００５４】
板体５…の断面形状は、長方形のほか、円形、楕円形、平行四辺形、菱形、多角形、台形、丸みを帯びた段差のある形状、丸みを帯びた凹凸のある形状などでもよい。板体５…は細長い形状のほか、短い長方形状板、短い正方形状板、円板、楕円板、平行四辺形、菱形、多角形板、台形板などでもよい。この場合、板体５…が寝具の幅方向に沿って複数に分割・分離されることになる。
【００５５】
板体５…の材質は、木製のほか、樹脂製、金属製、ガラス製、綿製、ゴム製、紙製などでもよく、上記収納袋６…と同じでもよい。これにより、板体５…と収納袋６…とを一体成形したり、高周波溶着などの溶着が可能となる。板体５…の材質は、布シート（連結体、シート体）１と同じでも良いし、収納袋６…の材質は、布シート（連結体、シート体）１と同じでもよい。これにより、板体５…、布シート（連結体、シート体）１、収納袋６…の各間で、一体成形したり、高周波溶着などの溶着が可能となる。
【００５６】
上記板体５…及び／または木粉７…は、竹とその大鋸屑（切削粉）、針葉樹または広葉樹とその大鋸屑（切削粉）、桧などの木の香りのするもの、楠などの悪臭を吸収分解するもの、桐などの防虫作用のあるものであってもよい。針葉樹は例えば杉、桧、松、樅等であり、広葉樹は柿、楓、栗、桃、楠、桐等である。
【００５７】
上記木粉７…は、木材の粉のほか、通気性または放熱性があれば、樹脂、布、綿、繊維、糸、ゴム、紙、金属、ガラスの粉、粒、棒、玉、チューブまたはパイプもしくは木の粒でもよい。この木粉７…には光触媒素材が混合されても良く、板体５…表面には光触媒が塗布されても良く、この光触媒素材としては、二酸化チタンなどの酸化チタンのほか、酸化亜鉛など、光照射によって悪臭・有害物質・臭い物質などが分解できれば、どのようなものでもよい。
【００５８】
上記板体５…の一部または全部が省略されてもよいし、収納袋６…の一部または全部が省略されてもよいし、木粉７…の一部または全部が省略されてもよいし、布シート（連結体、シート体）１の一部または全部が省略されてもよいし、縫合ライン２…の一部または全部が省略されてもよいし、板収納部３…の一部または全部が省略されてもよいし、連結部４…の一部または全部が省略されてもよいし、遊び部分８の一部または全部が省略されてもよいし、ゴムバンド（係止帯）９の一部または全部が省略されてもよいし、堤ガイド１０の一部または全部が省略されてもよい。
【００５９】
本件寝具は、人間用のほか、動物用の寝具としても使用可能であり、犬、猫、猿などのペット用としても使用可能である。本件寝具の全体形状は、長方形のほか、円形、楕円形、正方形などでもよい。
【００６０】
（３）他の発明の効果
[１]互いに所定の間隔をほぼ維持して連結された複数のほぼ剛性の板体と、  この板体の就寝する身体が当接する側に接合される、可撓性を有する収納体とこの収納体に収納される木材の木粉、またはこの板体とこの木材の木粉とを収納する可撓性を有する収納体であって、当該木粉は当該板体の就寝する身体が当接する側に配置され、  上記各板体にまたがり、当該各板体が着脱自在に固定され、各板体を互いに所定の間隔にほぼ維持して連結する連結体とを備えたことを特徴とする寝具。
【００６１】
[２]上記各板体の間隔は当該板体の幅のほぼ１／３乃至若干広く、上記木粉の幅は当該板体の幅より少々小さい乃至当該板体の幅より若干大きく、当該木粉の高さは当該板体の幅の１／３乃至略２倍であり、  当該板体または木粉の幅または厚さが大きいほど、各板体の間隔は大きくされることを特徴とする請求項１記載の寝具。
【００６２】
これにより、就寝する身体の重みで木粉の部分が大きく撓んでも、各板体の間隙が各板体の幅のほぼ１／３乃至若干広いので、各板体の間隙が撓んだ木粉によって塞がれず、通気性や放熱性が損なわれない。また、板体または木粉の幅または厚さが大きいほど、各板体の間隔は大きくされるので、各板体の間隙が撓んだ木粉によって塞がれず、通気性や放熱性が損なわれない。
【００６３】
[３]上記各板体は細長く、この各板体は就寝する身体に対して略直交する方向にほぼ平行に配置されることを特徴とする請求項１または２記載の寝具。  これにより、各板体の間の隙間が、就寝する身体の幅方向を横切る長さが、就寝する身体の縦方向を横切る長さに比べて短くなるので、各板体の間の隙間が身体で塞がれる長さが短くなり、湿気や熱がこもり難くなり、通気性及び放熱性が向上する。
【００６４】
[４]上記収納体は複数に分離または分割され、上記板体上に一列または複数列に配置されていることを特徴とする請求項１、２または３記載の寝具。  これにより、一つの収納体内の木粉の移動が規制され、上記板体上を木粉が大きく動いてしまうことがなくなり、板体上の木粉が偏在せず、板体上に木粉が無い箇所がなくなり、快適な寝心地が得られる。
【００６５】
[５]上記各板体は、寝具の中央付近には、耐水効果のある素材が使用され、同寝具の周縁付近には消臭効果のある素材が使用される、または寝具の全体に耐水効果のある素材が使用されることを特徴とする請求項１、２、３または４記載の寝具。  これにより、寝具の中央付近で発生する介護者などの排泄物が中央付近の板体に浸み込まず、端付近の板体によって消臭される。また、各板体に耐水効果があれば、各板体に水分が浸み込まず、各板体の間が湿気を帯びず、通気性が向上する。
【００６６】
[６]上記連結体の幅は上記板体の長さより、板体の幅の１倍乃至５倍ほど長いことを特徴とする請求項１、２、３、４または５記載の寝具。  これにより、板体が連結体で覆われ、板体の角が就寝する身体に当たることがなく、連結体がシート状のときには板体の端が連結体の端より奥に入り、板体が連結体から容易に離脱しない。また、連結体がシート状のとき、連結体が板体より長い部分を全板体にわたって張って折り曲げれば、板体の端を整列させることができ、板体の端が整列されると板体の端の間の隙間も均一となり板体の端の通気性及び放熱性が向上する。
【００６７】
[７]上記寝具の四隅には係止帯が取り付けられ、この係止帯が寝台またはマットレスに係止されて、当該寝具が寝台またはマットレスに固定されることを特徴とする請求項１、２、３、４、５または６記載の寝具。  これにより、本件寝具が寝台またはマットレスに固定され、板体の間隔が一定に保たれ、板体間の通気性及び放熱性が安定する。
【００６８】
[８]寝具の周縁に沿って細長い可撓性を有する堤体が着脱自在に取り付けられていることを特徴とする請求項１、２、３、４、５、６または７記載の寝具。  これにより、この堤体によって本件寝具の上で寝ている上記介護者などの手足が外へ出てしまうのが防止される。また、本件寝具と掛け布団との間に隙間ができ、通気性及び放熱性が向上する。
【００６９】
[９]上記連結体の一部または全部に荷は農薬または／及び化学肥料などの化学物質を使用しないで育成された素材が使用されることを特徴とする請求項１、２、３、４、５、６、７または８記載の寝具。  これにより、アレルギー反応がなく、アトピー対策にも有効となる。このような非アレルギー反応性は、上記各板体の間の通気性及び放熱性が高いほどより効果を発揮する。
【産業上の利用可能性】
【００７０】
複数の板体の上に収納体に収納される木材の木粉が接合されて、板体どうしの隙間が維持されて塞がれず通気性及び放熱性が向上する。二枚の布シート（連結体、シート体）１、１は、幅方向に平行に複数の縫合ライン２で接合され、１つおきの板収納部３…に、木粉７…が充填された収納袋６…が接合された板体５…が挿通され、１つおきの板収納部３…の間の連結部４…の幅で、各板体５…の間隔が維持される。
【００７１】
収納袋６…の木粉７…の部分の高さは板体５…の幅の１／３乃至略２倍であれば、木粉７…の部分がいくら撓んでも、連結部４の幅つまり各板体５…の間隙が各板体５…の幅のほぼ１／３乃至若干広いので、連結部４の幅つまり各板体５…の間隙が撓んだ木粉７…によって塞がれず、通気性及び放熱性が維持される。
【００７２】
また、たとえ塞がれても、木粉７…の入った通気性の高い収納袋６…で塞がれるため、通気性や放熱性が損なわれない。さらに、板体５…または木粉７…の幅または厚さが大きいほど、各板体５…の間隔つまり連結部４の幅は大きくされるので、各板体５…の間隙が撓んだ木粉７…によって塞がれず、通気性や放熱性が損なわれない。
【図面の簡単な説明】
【００７３】
【図１】寝具の斜視図を示す。
【図２】板体５の部分の斜視図を示す。
【図３】寝具の断面図を示す。
【図４】寝具の断面図を示す。
【図５】木粉７が身体の重みで変形しても、木粉７が各板体５…の間の隙間を塞ぐことがなく、通気性や放熱性が損なわれないことを示す。
【符号の説明】
【００７４】
１…布シート（連結体、シート体）、
２…縫合ライン、３…板収納部、
４…連結部、５…板体、
６…収納袋（収納体）、７…木粉、
８…遊び部分、９…ゴムバンド（係止帯）、
１０…堤ガイド（堤体）、Ｍ…マットレス。
【図１】
2009106331.tif 000003
【図２】
2009106331.tif 000004
【図３】
2009106331.tif 000005
【図４】
2009106331.tif 000006
【図５】
2009106331.tif 000007